(57)【要約】【課題】電力の需要者側の利便性と電力供給網の安定性を損なわずに、電力供給者からデマンドレスポンスの請負の要請を受付けるアグリゲータが収益を得ることができるようにすること。【解決手段】ＤＲ受付部１２１は、デマンドレスポンスの請負の要請に関する情報を少なくとも含むＤＲ情報を受付ける。広告取得部１２２は、広告に関する情報を取得する。マッチング部１２３は、前記ＤＲ情報と前記広告に関する情報とのマッチングを行う。ＤＲ指示部１２４は、前記デマンドレスポンスの対象となるユーザが操作するユーザ端末に対して、マッチングされた前記ＤＲ情報と前記広告に関する情報とを送信する。節電情報取得部１２５は、前記デマンドレスポンスの指示に基づき前記ユーザが行った節電に関する情報を取得する。ポイント管理部１２６は、前記アグリゲータが収益を得るために必要となる処理を実行する。【選択図】図３
2017123166.tif 000002
【特許請求の範囲】
【請求項１】
電力供給者から、電力需要削減の施策としてのデマンドレスポンスを請負うアグリゲータが管理する情報処理装置であって、
電力供給者が管理するサーバから送信された、前記デマンドレスポンスの請負の要請に関する情報を少なくとも含むＤＲ情報を受付けるＤＲ受付手段と、
広告メディアが管理するサーバから送信された、広告に関する情報を取得する広告取得手段と、
前記ＤＲ受付手段によって取得された前記ＤＲ情報と、前記広告取得手段によって取得された前記広告に関する情報とのマッチングを行うマッチング手段と、
前記ＤＲ受付手段によって前記デマンドレスポンスの請負の要請が受付けられた場合に前記アグリゲータ、前記デマンドレスポンスの対象となるユーザが操作するユーザ端末に対して、マッチングされた前記ＤＲ情報と前記広告に関する情報とを送信することによって、前記デマンドレスポンスの指示を行うＤＲ指示手段と、
前記ユーザ端末から送信された前記デマンドレスポンスの指示に基づき前記ユーザが行った節電に関する情報を取得する節電情報取得手段と、
前記節電に関する情報に基づいて、前記電力供給者より支払われる対価を原資として、前記アグリゲータが収益を得るために必要となる処理を実行する収益手段と、
を備える情報処理装置。
【請求項２】
前記収益手段は、
前記対価のうち、一部を前記ユーザに配賦し、残りを前記アグリゲータの収益とするように按分処理を行う、
請求項１に記載の情報処理装置。
【請求項３】
前記収益手段はさらに、
前記ユーザに対する前記対価のうち一部の配賦を、前記ユーザに対するポイントの供与によって実行することができる。
請求項２に記載の情報処理装置。
【発明の詳細な説明】
【技術分野】
【０００１】
本発明は、情報処理装置に関する。
【背景技術】
【０００２】
近年、電力の安定供給を目的とした電力のピーク需要削減のための施策であるデマンドレスポンスの一環として、ネガワット取引（電力需要側による電力需要削減量を電力供給量と見立て、市場等で取引する事業形態）が注目を集めている。例えば、電力需要者に対するキャッシュバックや電気料金への還元以外の方法（例えば、ポイント）により、節電の対価を供与する方法も開示されている（例えば特許文献１参照）。
【先行技術文献】
【特許文献】
【０００３】
【特許文献１】特許第５７０３２０７号公報
【発明の概要】
【発明が解決しようとする課題】
【０００４】
しかしながら、特許文献１を含め従来の方法では、電力供給者からＤＲの請負の要請を受けるアグリゲータが収益を得るというサービスが想定されていないため、実際社会への実現性という面で問題があった。ここで、アグリゲータとは、ネガワットを発生させ得る電力需要者を予め多数取りまとめて事前に契約し、電力供給者が必要とするタイミングで、当該電力需要者の中から最適な組み合わせを選んで、必要なネガワットを発生させる事業を行う者をいう。
【０００５】
本発明は、このような状況に鑑みてなされたものであり、電力需要者における利便性と電力供給網の安定性を損なわずに、電力供給者からデマンドレスポンスの要請を受付けるアグリゲータが収益を得ることができる方法を提供する。
【課題を解決するための手段】
【０００６】
上記目的を達成するため、本発明の一態様の情報処理装置は、
電力供給者から、電力需要削減の施策としてのデマンドレスポンスを請負うアグリゲータが管理する情報処理装置であって、
電力供給者が管理するサーバから送信された、前記デマンドレスポンスの請負の要請に関する情報を少なくとも含むＤＲ情報を受付けるＤＲ受付手段と、
広告メディアが管理するサーバから送信された、広告に関する情報を取得する広告取得手段と、
前記ＤＲ受付手段によって取得された前記ＤＲ情報と、前記広告取得手段によって取得された前記広告に関する情報とのマッチングを行うマッチング手段と、
前記ＤＲ受付手段によって前記デマンドレスポンスの請負の要請が受付けられた場合に、前記デマンドレスポンスの対象となるユーザが操作するユーザ端末に対して、マッチングされた前記ＤＲ情報と前記広告に関する情報とを送信することによって、前記デマンドレスポンスの指示を行うＤＲ指示手段と、
前記ユーザ端末から送信された前記デマンドレスポンスの指示に基づき前記ユーザが行った節電に関する情報を取得する節電情報取得手段と、
前記節電に関する情報に基づいて、前記電力供給者より支払われる対価を原資として、前記アグリゲータが収益を得るために必要となる処理を実行する収益手段と、
を備える。
【０００７】
また、前記収益手段は、
前記対価のうち、一部を前記ユーザに配賦し、残りを前記アグリゲータの収益とするように按分処理を行うことができる。
【０００８】
また、前記収益手段はさらに、
前記ユーザに対する前記対価の一部の配賦を、前記ユーザに対するポイントの供与によって実行することができる。
【発明の効果】
【０００９】
本発明によれば、ユーザの利便性と電力供給網の安定性を損なわずに、電力供給者からＤＲの要請を受付けるアグリゲータが収益を得るサービス、及び当該サービスを実現する方法を提供することができる。
【図面の簡単な説明】
【００１０】
【図１】本発明の情報処理装置の一実施形態に係る管理サーバを含む、情報処理システムの構成を示す図である。
【図２】図１の管理サーバのハードウェア構成を示すブロック図である。
【図３】図１の管理サーバの機能的構成の一例を示す機能ブロック図である。
【図４】図１のサーバが実行するＤＲ実行処理を説明するフローチャートである。
【図５】図１の情報処理システムが適用されるサービスの流れを示す概念図である。
【図６】図１の情報処理システムにおける、デバイス、エネルギークラウド及びソフトウェアの関係の一例を示す概念図である。
【発明を実施するための形態】
【００１１】
本発明におけるデマンドレスポンス（Ｄｅｍａｎｄ  Ｒｅｓｐｏｎｓｅ、以下「ＤＲ」と呼ぶ）とは、電力の安定供給を目的とした電力のピーク需要削減のための施策を意味する。ＤＲは、時間帯別料金等の電気料金ベースのＤＲと、電力需給調整契約等の対価ベースのＤＲに分けることができる。本実施形態におけるサービスは、電力需給調整契約等の対価ベースのＤＲを利用するサービスを意味する。
【００１２】
本実施形態におけるＤＲを利用したサービスは、電力需要者が行った節電に対する対価を、当該電力需要者に直接返すのではなく、当該対価を原資として、アグリゲータが、ＤＲに関連した機器やアプリケーションソフトウェア（以下、「アプリ」と呼ぶ）を利用した送客誘導等から収益を得るサービスである。例えば、アグリゲータが、当該対価を原資として、ハードウェアの無償配布等による集客を行い、サービスフィー（課金、広告、送客、対価等）で収益を得るサービスが、サービスの一例である。なお、本サービスの詳細については、図５を参照して後述する。
【００１３】
つまり、本サービスにおいて、サービス提供者は、アグリゲータになる。また、本サービスの提供を受ける者、即ち、本サービスにとってのユーザは、ネガワット（節電）を発生させ得る電力需要者、即ち需給契約の主体となる電力需要者である。なお、以下説明の便宜上、ユーザの単位は、電力需要者の代表的な例として一般的な家庭を１単位（１戸）とする。
【００１４】
アグリゲータは、上述したように、ユーザを予め多数取りまとめて事前に契約し、ユーザが必要とするタイミングで、当該ユーザの中から最適な組み合わせを選んで、必要なネガワットを発生させる。換言すると、ユーザが節電を実行する。そして、アグリゲータは、ネガワットによって電力供給者から得られる対価を、協力してくれたユーザに配賦し、一部を自身の利益にする。
【００１５】
以下、需給調整契約等の対価ベースのＤＲのネガワット取引において、ユーザの利便性と電力供給網の安定性を損なわずに、電力供給者からＤＲの要請を受付けるアグリゲータが収益を得るサービス、及び当該サービスを実現するための情報装置を含む情報処理システムについて、図面を参照して説明する。
【００１６】
図１は、本発明の情報処理装置の一実施形態に係る管理サーバ１０を含む、情報処理システムＳの構成を示す図である。
図１に示す情報処理システムＳは、アグリゲータＡが管理する管理サーバ１０と、ユーザＵ１乃至Ｕｎの夫々が操作するユーザ端末２０−１乃至２０−ｎ（ｎは１以上の任意の整数値）の夫々と、ユーザＵ１乃至Ｕｎの夫々に設置されたユーザ節電装置３０−１乃至３０−ｎと、電力供給者Ｅが管理する電力供給者サーバ４０と、広告メディアＭが管理する広告メディアサーバ５０とが、インターネット等の所定のネットワークＮを介して相互に接続されることによって構成されている。
【００１７】
なお、以下、ユーザＵ１乃至Ｕｎと、ユーザ端末２０−１乃至２０−ｎと、ユーザ節電装置３０−１乃至３０−ｎとの夫々を個々に区別する必要がない場合、これらをまとめて「ユーザＵ」と、「ユーザ端末２０」と、「ユーザ節電装置３０」との夫々と呼ぶ。
【００１８】
なお、本実施形態において、ｎ戸のユーザＵの夫々は、ユーザ端末２０−１乃至２０−ｎの夫々にインストールされたアプリを利用した操作を行うことを意味するものとする。ただし、アプリを利用する操作は例示に過ぎず、所定のｗｅｂサイトを利用した操作等、任意の操作手法を採用することができる。
【００１９】
また、図示はしないが、ユーザ端末２０−ｋ（ｋは、１乃至ｎのうち任意の整数値）とユーザ節電装置３０−ｋは、例えばＢｌｕｅｔｏｏｔｈ（登録商標）等を用いて近距離で無線通信を行うこともできる。
【００２０】
管理サーバ１０は、電力市場において、複数のユーザＵの電力調整量をまとめて取引を行うアグリゲータＡが管理するサーバである。
【００２１】
管理サーバ１０は、電力供給者Ｅが管理する電力供給者サーバ４０からＤＲの請負の要請を受付ける。また、広告メディアＭが管理する広告メディアサーバ５０から掲載を依頼された広告に関する情報（以下「広告情報」と呼ぶ）を取得する。そして、管理サーバ１０は、受付けられたＤＲと取得された広告情報とのマッチングを行う。その後、管理サーバ１０は、ユーザ端末２０に対し、マッチングされたＤＲの要請に関する情報（以下、「ＤＲ情報」と呼ぶ）及び広告情報の配信を行う。
ＤＲ情報には、少なくともＤＲの要請に関する情報が含まれる。具体的には例えば、特定の地域の特定の曜日の特定の時間帯における電力需要を抑えたいといった内容の情報がＤＲの要請に関する情報含まれる。また、ユーザＵの節電の実績をまとめたレポート、所定の時間帯（電力需要ピーク時など）に節電を行うことにより加算ポイントが倍になる等のユーザＵにとって有益となる情報等をＤＲ情報に含めることができる。
これにより、アグリゲータＡは、電力供給者Ｅの意思に沿った効率的なＤＲを実現させることができると共に、ＤＲ情報に関連した広告情報を利用した送客誘導を行うことができる。
【００２２】
さらに、管理サーバ１０は、電力供給者Ｅから支払われた節電の対価を管理する。具体的には、管理サーバ１０は、対価のうち一部を、ユーザＵに対しポイントとして供与し、残りをアグリゲータＡの収益として按分して管理する。
【００２３】
また、管理サーバ１０は、ユーザ節電装置３０から、ユーザＵが行った節電量などの節電に関する情報（以下「節電情報」と呼ぶ）を取得する。
なお、管理サーバ１０の具体的な機能については、図３を参照して後述する。
【００２４】
ユーザ端末２０は、ユーザＵが操作する情報処理装置であって、例えばスマートフォン等で構成される。
【００２５】
ユーザ端末２０には、図１に示す情報処理システムＳを利用するためのアプリがインストールされている。ユーザＵは、ユーザ端末２０を操作することにより、ＤＲに基づく節電を行う。具体的には例えば、管理サーバ１０からユーザＵに送信されるＤＲ情報及び広告情報の取得、ユーザＵのポイント数の把握、マネタイズ企業Ｌ（図５）が販売する商品やサービスの購入、家電の見守り、電気料金を含む家計簿の管理等を行うことができる。
【００２６】
ユーザ節電装置３０は、ＤＲを目的としてユーザＵ夫々によって管理される装置である。ユーザ節電装置３０は、ユーザＵの夫々に設置された電力供給者Ｅの電力量計（電気メータ）から節電分の電力量を数値として把握するためのデータを取得する節電メータ、家電等の電気機器の制御を行う装置、電力の制御を行うための装置、通信用のハブ（Ｈｕｂ）等で構成される。
【００２７】
電力供給者Ｅは、ユーザＵに対し電力の供給を行う者である。
電力供給者サーバ４０は、電力供給者Ｅが管理するサーバであり、具体的には例えば、電力会社が管理するサーバ等で構成される。
電力供給者サーバ４０は、管理サーバ１０に対しＤＲの請負の要請を行う。
【００２８】
広告メディアＭは、マネタイズ企業Ｌ（図５）が出稿した広告の掲載をアグリゲータＡに依頼する者である。
広告メディアサーバ５０は、広告メディアＭが管理するサーバであり、具体的には例えば、広告代理店が管理するサーバ等で構成される。
【００２９】
図２は、図１の管理サーバ１０のハードウェア構成を示すブロック図である。
【００３０】
管理サーバ１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、バス１０４と、入出力インターフェース１０５と、出力部１０６と、入力部１０７と、記憶部１０８と、通信部１０９と、ドライブ１１０と、を備えている。
【００３１】
ＣＰＵ１０１は、ＲＯＭ１０２に記録されているプログラム、又は、記憶部１０８からＲＡＭ１０３にロードされたプログラムに従って各種の処理を実行する。
ＲＡＭ１０３には、ＣＰＵ１０１が各種の処理を実行する上において必要なデータ等も適宜記憶される。
【００３２】
ＣＰＵ１０１、ＲＯＭ１０２及びＲＡＭ１０３は、バス１０４を介して相互に接続されている。このバス１０４にはまた、入出力インターフェース１０５も接続されている。入出力インターフェース１０５には、出力部１０６、入力部１０７、記憶部１０８、通信部１０９及びドライブ１１０が接続されている。
【００３３】
出力部１０６は、ディスプレイやスピーカ等で構成され、各種情報を画像や音声として出力する。
入力部１０７は、キーボードやマウス等で構成され、各種情報を入力する。
【００３４】
記憶部１０８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１０９は、インターネットを含むネットワークＮを介して他の装置（図１の例ではユーザ端末２０、ユーザ節電装置３０、電力供給者サーバ４０、広告メディアサーバ５０との間で通信を行う。
【００３５】
ドライブ１１０には、磁気ディスク、光ディスク、光磁気ディスク、或いは半導体メモリ等よりなる、リムーバブルメディア１２０が適宜装着される。ドライブ１１０によってリムーバブルメディア１２０から読み出されたプログラムは、必要に応じて記憶部１０８にインストールされる。
また、リムーバブルメディア１２０は、記憶部１０８に記憶されている各種データも、記憶部１０８と同様に記憶することができる。
【００３６】
図３は、図１の管理サーバ１０の機能的構成の一例を示す機能ブロック図である。
【００３７】
管理サーバ１０のＣＰＵ１０１（図２）においては、図３に示すように、ＤＲ受付部１２１と、広告取得部１２２と、マッチング部１２３と、ＤＲ指示部１２４と、節電情報取得部１２５と、ポイント管理部１２６とが機能する。
記憶部１０８（図２）の一領域には、ＤＲ情報ＤＢ１４１と、広告ＤＢ１４２と、ユーザ情報ＤＢ１４３とが設けられている。
【００３８】
電力供給者サーバ４０は、管理サーバ１０に対して、ＤＲ情報を送信する。管理サーバ１０のＤＲ受付部１２１は、ＤＲ情報を受付け、ＤＲ情報ＤＢ１４１に記憶させて管理する。
【００３９】
広告メディアサーバ５０は、マネタイズ企業Ｌ（図５）が出稿した広告情報を管理サーバ１０に送信する。これにより、広告メディアサーバ５０は、アグリゲータＡに対し、当該広告情報をユーザ端末２０に送信することを依頼する。管理サーバ１０の広告取得部１２２は、広告メディアＭが送信した広告情報を、通信部１０９を介して取得し、当該広告情報を広告ＤＢ１４２に記憶させることにより管理する。
【００４０】
マッチング部１２３は、ＤＲ情報ＤＢ１４１に記憶されているＤＲ情報及び広告ＤＢ１４２に記憶されている広告情報の中から、所定のＤＲ情報及び所定の広告情報を抽出してマッチングを行う。ＤＲ指示部１２４は、マッチングされたＤＲ情報及び広告情報を、通信部１０９を介してユーザ端末２０に送信することによりユーザ端末２０に対してＤＲの指示を出す。
【００４１】
すると、ユーザ端末２０の画面にＤＲの指示及び当該ＤＲとマッチングされた広告情報が表示される。ユーザＵが当該ＤＲの指示の内容に基づく節電を行うと、ユーザ節電装置３０は、節電された電力量を記憶する。
【００４２】
また、ユーザＵは、当該広告情報に張られたリンクボタンから当該広告の出稿元であるマネタイズ企業Ｌ（図５）のホームページ等にアクセスすることにより、マネタイズ企業Ｌ図５が提供する商品又はサービスを購入することができる。
これにより、アグリゲータＡは、電力供給者Ｅの意思に沿った効率的なＤＲを実現させることができると共に、ＤＲ情報に関連した広告情報を利用した送客誘導を行うことができる。
【００４３】
管理サーバ１０の節電情報取得部１２５は、ユーザ節電装置３０から送信されて来た、節電量を含む節電情報を取得し、当該節電情報をユーザ情報ＤＢ１４３に記憶させ、ユーザＵ毎に管理する。
【００４４】
ポイント管理部１２６は、ユーザＵ毎の保有ポイント数及び使用ポイント数を管理する。また、ユーザ情報ＤＢ１４３に記憶されているユーザＵ毎の節電情報に基づいて、ユーザＵ毎に新たに供与すべきポイント数を決定する。
【００４５】
また、ポイント管理部１２６は、ユーザＵ毎のポイントに関する情報を通信部１０９を介してユーザ端末２０に送信する。これにより、ユーザＵは、ユーザ端末２０を操作することにより、いつでも自身のポイントに関する情報を確認することができる。
【００４６】
図４は、図１のサーバが実行するＤＲ実行処理を説明するフローチャートである。
【００４７】
ステップＳ１において、ＤＲ受付部１２１は、電力供給者サーバ４０からＤＲの請負の要請があったか否かを判定する。
電力供給者サーバ４０からＤＲの請負の要請がない場合、ステップＳ１においてＮＯであると判定され、処理はステップＳ１に戻される。即ち、電力供給者サーバ４０からＤＲの請負の要請があるまでの間、ステップＳ１の判定処理が繰り返される。その後、電力供給者サーバ４０からＤＲの請負の要請があると、ステップＳ１においてＹＥＳであると判定されて、処理はステップＳ２に進む。
【００４８】
ステップＳ２において、ＤＲ受付部１２１は、ＤＲの請負の要請を受付ける。
ステップＳ３において、広告取得部１２２は、広告メディアサーバ５０から広告情報が送信されて来たか否かを判定する。
広告メディアサーバ５０から広告情報が送信されて来ていない場合、ステップＳ３においてＮＯであると判定され、処理はステップＳ３に戻される。即ち、広告メディアサーバ５０から広告情報が送信されて来るまでの間、ステップＳ３の判定処理が繰り返される。その後、広告メディアサーバ５０から広告情報が送信されて来ると、ステップＳ３においてＹＥＳであると判定されて、処理はステップＳ４に進む。
【００４９】
ステップＳ４において、広告取得部１２２は、広告情報を取得する。
ステップＳ５において、マッチング部１２３は、ＤＲ情報と広告情報とをマッチングする。
ステップＳ６において、ＤＲ指示部１２４は、マッチングされたＤＲ情報及び広告情報をユーザ端末２０に送信する。これにより、アグリゲータＡからユーザＵに対するＤＲの指示が出されたことになる。
【００５０】
ステップＳ７において、節電情報取得部１２５は、ユーザ節電装置３０から節電情報が送信されて来たか否かを判定する。
ユーザ節電装置３０から節電情報が送信されて来ていない場合、ステップＳ７においてＮＯであると判定され、処理はステップＳ７に戻される。即ち、ユーザ節電装置３０から節電情報が送信されて来るまでの間、ステップＳ７の判定処理が繰り返される。その後、ユーザ節電装置３０から節電情報が送信されて来ると、ステップＳ７においてＹＥＳであると判定されて、処理はステップＳ８に進む。
【００５１】
ステップＳ８において、節電情報取得部１２５は、節電情報を取得する。
ステップＳ９において、ポイント管理部１２６は、電力供給者ＥからアグリゲータＡに対し支払われた対価の一部を、節電情報を送信したユーザ節電装置３０を管理するユーザＵに対しポイントとして供与する。これにより処理は終了する。
このようにして、アグリゲータＡは、電力供給者Ｅから支払われた対価の一部をユーザＵに配賦し、残りを自身の収益とする。即ち、電力需要者における利便性と電力供給網の安定性を損なわずに、電力供給者Ｅからデマンドレスポンスの要請を受付けるアグリゲータＡの収益を確保することができる。
【００５２】
図５は、図１の情報処理システムＳが適用されるサービスの全体的な流れを示す概念図である。
【００５３】
図５に示すように、電力供給者ＥからアグリゲータＡに対してＤＲの請負の要請が出されると（Ｓ１）、アグリゲータＡは当該ＤＲを請け負うこととなり、電力供給者ＥからアグリゲータＡに対価が支払われる。この対価が、節電行動のインセンティブとなる。
【００５４】
マネタイズ企業Ｌは、広告メディアＭに対して、自己の商品又はサービスに関する広告を出稿する。これにより広告メディアＭは、マネタイズ企業Ｌの広告を代理することとなり、マネタイズ企業Ｌから広告メディアＭに対価が支払われる。
【００５５】
広告メディアＭは、アグリゲータＡに対して、当該広告の掲載を依頼する。アグリゲータＡは広告メディアＭからの広告掲載依頼を受付ける。これにより、広告メディアＭからアグリゲータＡに対価が支払われる。
【００５６】
アグリゲータＡは、管理サーバ１０において、電力供給者サーバ４０から送信されて来たＤＲ情報と、広告メディアサーバ５０から送信されて来た広告情報とのマッチングを行う。このとき、電力供給者Ｅから要請されたＤＲの内容と、広告メディアＭから依頼された広告の内容とが考慮される。そして、管理サーバ１０は、マッチングしたＤＲ情報及び広告情報をユーザ端末２０に送信する。これにより、管理サーバ１０は、ＤＲの指示及び広告の配信を同時に行う（Ｓ６）。
【００５７】
ユーザＵは、ユーザ端末２０を操作することにより、管理サーバ１０から送信されたＤＲの指示に基づいて節電を行う。ユーザ節電装置３０は、家電等の電気機器における電力の制御を行う。これにより、ユーザ節電装置３０は、節電された電力量を計測し、計測結果を節電情報として管理サーバ１０に送信する。換言すると、ユーザＵの節電により節電された電力量は、ユーザＵによる発電（創電）の一部とみなされ、電力市場における売買の対象となる。即ち、ユーザＵによる節電は、そのまま電力供給者Ｅに対する電力の販売となる。
【００５８】
そして、節電を行ったユーザＵは、電力供給者Ｅから、電力の販売の対価を得ることになる。当該対価は、アグリゲータＡからユーザＵに対し、現金以外、例えばマネタイズ企業Ｌで使用できるポイント又はクーポンの形で供与されることとしてもよい。これにより、アグリゲータＡは、ＤＲ情報にマッチングさせた広告情報と、ポイント又はクーポンとを活用することにより、マネタイズ企業Ｌへの送客誘導を行うことができる。即ち、アグリゲータＡは、ＤＲ情報にマッチングさせた広告情報から広告収入を得ることができる。
【００５９】
また、ユーザＵに対する節電の対価は、デバイス（例えば図１のユーザ節電装置３０）を無償供与することとしてもよい。これによりユーザＵの数の増加を図ることができるため、より大規模な節電を実現させることができる。また、当該デバイスとして、例えばディスプレイ付きの冷蔵庫のように、家電そのものにユーザ端末２０及びユーザ節電装置３０の機能が組み込まれた電気機器を無償供与することとしてもよい。これにより、さらなるユーザＵの数の増加を図ることができる。
【００６０】
図６は、図１の情報処理システムＳにおける、デバイス、エネルギークラウド及びソフトウェアの関係の一例を示す概念図である。
【００６１】
図１の情報処理システムＳにおけるデバイスは、図６に示すように、電力供給者Ｅ（図１）のうち太陽光発電を行う者は、太陽光発電所に、太陽光発電施設遠隔制御・モニタリング装置としてのデバイスａｍｉ００１Ｂを設置する。デバイスａｍｉ００１Ｂは、パワーコンディショナー（インバータの一種であり、太陽光発電システムや家庭用燃料電池を利用する上で、発電された電気を家庭などの環境で使用できるように変換する機器）と接続する。これにより、デバイスａｍｉ００１Ｂは、発電量、電流及び電圧に関するデータを収集、集計し、当該集計結果を管理サーバ１０に送信する。
【００６２】
なお、デバイスａｍｉ００１Ｂは、収集された、発電量、電流及び電圧に関するデータの解析が行う。この解析により、太陽光発電所に不具合が発生した場合の原因究明に要する作業時間を大幅に削減することができる。このため、太陽光発電所のメンテナンスを行う際のコスト削減を図ることができる。
また、管理サーバ１０は、デバイスａｍｉ００１Ｂを遠隔操作することにより、パワーコンディショナーを外部からコントロールすることができる。
【００６３】
デバイスａｍｉ００２Ｃは、スマートシティを想定した場合における電力の需要者と供給者の両方又は中間に設置される装置である。具体的には、例えば蓄電池などで構成される。
【００６４】
ユーザ節電装置（デバイスａｍｉ００３）３０は、各家庭（ユーザＵ）毎に設置されるＤＲのためのキーデバイスであり、節電メータ、電気機器の制御、電力の制御、通信のためのハブ等で構成される。
【００６５】
図１の情報処理システムＳにおいて管理サーバ１０は、エネルギークラウドとして、ＥＤＰ（エネルギー・データ・プラットフォーム）ソリューションを提供する。
【００６６】
図１の情報処理システムＳにおいて、発電所のメンテナンス及びＤＲなどのエネルギー関連サービス、収集されたデータの活用、マーケティング支援などの非エネルギーサービス、並びにアプリ、見守り、家計簿、ポイント等、ユーザＵ向けサービスにおいて各種ソフトウェアが使用される。
【００６７】
以上、本発明の一実施形態について説明したが、本発明は、上述の実施形態に限定されるものではなく、本発明の目的を達成できる範囲での変形、改良等は本発明に含まれるものである。
【００６８】
例えば、図３に示すポイント管理部１２６は、収益を得るための手段の一具体例に過ぎない。
換言すると、図３に示すポイント管理部１２６は、アグリゲータＡが、電力供給者Ｅや広告メディアＭから支払われた対価を原資として、ハードウェアの無償配布等による集客を行い、サービスフィー（課金、広告、送客、対価等）で収益を得る処理を実行する収益手段の下位概念に過ぎない。
【００６９】
また、当該収益手段は、収益を得るための手段の一例であり、電力需要者が行った節電に対する対価を、当該電力需要者に直接返すのではなく、当該対価を原資として、アグリゲータＡが、ＤＲに関連した機器やアプリケーションソフトウェアを利用した送客誘導等から収益を得る処理を実行すればよい。
さらに言えば、節電情報に基づいて電力供給者Ｅから得られる対価を原資として、アグリゲータＡが、収益を得るために必要な処理を実行すれば足りる。
【００７０】
また、例えば図２に示すハードウェア構成は、本発明の目的を達成するための例示に過ぎず、特に限定されない。
【００７１】
また、図３に示す機能ブロック図は、例示に過ぎず、特に限定されない。即ち、上述した一連の処理を全体として実行できる機能が情報処理装置に備えられていれば足り、この機能を実現するためにどのような機能ブロックを用いるのかは、特に図３の例に限定されない。
【００７２】
また、機能ブロックの存在場所も、図３に限定されず、任意でよい。
また、１つの機能ブロックは、ハードウェア単体で構成してもよいし、ソフトウェア単体で構成してもよいし、それらの組み合わせで構成してもよい。
【００７３】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００７４】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【００７５】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【００７６】
また、本明細書において、システムの用語は、複数の装置や複数の手段等より構成される全体的な装置を意味するものである。
【００７７】
以上まとめると、本発明が適用される情報処理装置は、次のような構成を取れば足り、各種各様な実施形態を取ることができる。
即ち、本発明が適用される情報処理装置は、
電力供給者（図１の電力供給者Ｅ）から、電力需要削減の施策としてのデマンドレスポンスを請負うアグリゲータ（例えば図１のアグリゲータＡ）が管理する情報処理装置（管理サーバ１０）であって、
電力供給者が管理するサーバ（図１の電力供給者サーバ４０）から送信された、前記デマンドレスポンスの請負の要請に関する情報を少なくとも含むＤＲ情報を受付けるＤＲ受付手段（例えば図３のＤＲ受付部１２１）と、
広告メディア（図１の広告メディアＭ）が管理するサーバ（広告メディアサーバ５０）から送信された、広告に関する情報を取得する広告取得手段（図３の広告取得部１２２）と、
前記ＤＲ受付手段によって取得された前記ＤＲ情報と、前記広告取得手段によって取得された前記広告に関する情報とのマッチングを行うマッチング手段（例えば図３のマッチング部１２３）と、
前記ＤＲ受付手段によって前記デマンドレスポンスの請負の要請が受付けられた場合に、前記デマンドレスポンスの対象となるユーザ（例えば図１のユーザＵ１乃至Ｕｎ）が操作するユーザ端末（例えば図１のユーザ端末２０−１乃至２０−ｎ）に対して、マッチングされた前記ＤＲ情報と前記広告に関する情報とを送信することによって、前記デマンドレスポンスの指示を行うＤＲ指示手段（例えば図３のＤＲ指示部１２４）と、
前記ユーザ端末から送信された前記デマンドレスポンスの指示に基づいて、前記ユーザが行った節電に関する情報を取得する節電情報取得手段（例えば図３の節電情報取得部１２５）と、
前記節電に関する情報に基づいて、前記電力供給者より支払われる対価を原資として、前記アグリゲータが収益を得るために必要となる処理を実行する収益手段（例えば図３のポイント管理部１２６）と、
を備える。
これにより、電力需要者における利便性と電力供給網の安定性を損なわずに、電力供給者からＤＲの要請を受付けるアグリゲータが収益を得ることが可能となる。
【００７８】
また、前記収益手段は、
前記対価のうち、一部を前記ユーザに配賦し、残りを前記アグリゲータの収益とするように按分処理を行うことができる。
また、前記収益手段はさらに、
前記ユーザに対する前記対価の一部の配賦を、前記ユーザに対するポイントの供与によって実行することができる。
これにより、アグリゲータは、電力供給者から支払われた対価の一部をユーザに配賦し、残りを自身の収益とすることができる。
【符号の説明】
【００７９】
１０・・・  管理サーバ
２０、２０−１、２０−ｎ・・・  ユーザ端末
３０、３０−１、３０−ｎ・・・  ユーザ節電装置（デバイスａｍｉ００３）
４０・・・  電力供給者サーバ
５０・・・  広告メディアサーバ
１０１・・・  ＣＰＵ
１０２・・・  ＲＯＭ
１０３・・・  ＲＡＭ
１０４・・・  バス
１０５・・・  入出力インターフェース
１０６・・・  出力部
１０７・・・  入力部
１０８・・・  記憶部
１０９・・・  通信部
１１０・・・  ドライブ
１２０・・・  リムーバブルメディア
１２１・・・  ＤＲ受付部
１２２・・・  広告取得部
１２３・・・  マッチング部
１２４・・・  ＤＲ指示部
１２５・・・  節電情報取得部
１２６・・・  ポイント管理部
１４１・・・  ＤＲ情報ＤＢ
１４２・・・  広告ＤＢ
１４３・・・  ユーザ情報ＤＢ
Ａ・・・  アグリゲータ
Ｂ・・・  太陽光発電施設遠隔制御・モニタリング装置（デバイスａｍｉ００１）
Ｃ・・・  デバイスａｍｉ００２
Ｅ・・・  電力供給者
Ｌ・・・  マネタイズ企業
Ｍ・・・  広告メディア
Ｎ・・・  ネットワーク
Ｕ、Ｕ１、Ｕｎ・・・  ユーザ
Ｓ・・・  情報処理システム
【図１】
2017123166.tif 000003
【図２】
2017123166.tif 000004
【図３】
2017123166.tif 000005
【図４】
2017123166.tif 000006
【図５】
2017123166.tif 000007
【図６】
2017123166.tif 000008